(57)【要約】【課題】  情報受信者が不要な配信情報に接しないようにする。【解決手段】  配信情報受信端末は、情報受信者による第１のキーワードの入力に応答して、第１のキーワードを情報受信者の嗜好情報を表す第２のキーワードとして、第２のキーワードを抽出した回数、第２のキーワードを抽出した日時、および配信希望と共に、嗜好情報テーブルに格納する嗜好解析部、並びに、キーワード辞書を用いて、受信した配信情報から第３のキーワードを抽出し、第３のキーワードが嗜好情報テーブルに格納されているかを判定し、格納されているならば、第３のキーワードに対応する第２のキーワードと共に、嗜好情報テーブルに配信希望が格納されているかを判定し、格納されている場合、配信情報を配信情報テーブルに格納するマッチング部を有する。【選択図】  図２
2017004440.tif 000002
【特許請求の範囲】
【請求項１】
情報受信者による第１のキーワードの入力に応答して、前記第１のキーワードを前記情報受信者の嗜好情報を表す第２のキーワードとして、前記第２のキーワードを抽出した回数、前記第２のキーワードを抽出した日時、および配信希望と共に、嗜好情報テーブルに格納する嗜好解析部、並びに、
キーワード辞書を用いて、受信した配信情報に含まれ、かつ前記キーワード辞書に含まれる第３のキーワードを抽出し、前記第３のキーワードが前記嗜好情報テーブルに前記第２のキーワードとして格納されているかを判定し、格納されているならば、前記第３のキーワードに対応する前記第２のキーワードと共に、前記嗜好情報テーブルに前記配信希望が格納されているかを判定し、格納されている場合、前記配信情報を配信情報テーブルに格納するマッチング部を有することを特徴とする配信情報受信端末。
【請求項２】
情報受信者による文章の入力、およびWEBページへのアクセスのいずれかに応答して、前記文章および前記アクセスの内容のいずれかに含まれる文字列がキーワード辞書に格納されているかを判定し、前記キーワード辞書に格納されているならば、前記文字列を前記情報受信者の嗜好情報を表す嗜好キーワードとして抽出し、抽出した前記嗜好キーワードを、前記嗜好キーワードを抽出した回数及び前記嗜好キーワードを抽出した日時と共に嗜好情報テーブルに格納する嗜好解析部、および、
前記キーワード辞書を用いて、受信した配信情報から配信キーワードを抽出し、前記配信キーワードが前記嗜好情報テーブルに格納されているかを判定し、格納されているならば、前記配信キーワードに対応する前記嗜好キーワードと共に、嗜好情報テーブルに格納されている前記回数及び前記日時が、予め定めた配信希望条件を満たすかを判定し、前記配信希望条件を満たす場合、前記配信情報を配信情報テーブルに格納するマッチング部を有することを特徴とする配信情報受信端末。
【請求項３】
前記嗜好解析部は、前記嗜好キーワードが、前記嗜好情報テーブルに格納されているならば、前記嗜好キーワードに対応する前記回数をカウントアップし、前記嗜好キーワードを抽出した日時を前記嗜好情報テーブルに格納することを特徴とする請求項２に記載の配信情報受信端末。
【発明の詳細な説明】
【技術分野】
【０００１】
本発明は、情報配信システムにおける配信情報の受信端末に関する。
【背景技術】
【０００２】
通信技術の発展に伴い、一企業や一個人(情報発信者)でも、情報の発信が可能となり、第三者(情報受信者)に対して情報を発信したいというニーズは高まっている。情報発信者が情報受信者に情報を配信する技術が、特許文献１および特許文献２に開示されている。特許文献１や特許文献２の技術は、情報発信者が、情報受信者の嗜好に応じた情報を配信するために、インターネットを通じて情報受信者の嗜好情報を収集する。
【先行技術文献】
【特許文献】
【０００３】
【特許文献１】特許第５２３１３２８号
【特許文献２】特許第４１４０４６０号
【発明の概要】
【発明が解決しようとする課題】
【０００４】
特許文献１や特許文献２の技術は、情報発信者が情報受信者の嗜好情報を収集するが、情報発信者が収集した嗜好情報には不確かさがあるので、情報発信者が配信する情報が情報受信者の嗜好に合っているかが不明であり、情報受信者にとっては不要な情報に接することになる。
【課題を解決するための手段】
【０００５】
開示する配信情報受信端末は、情報受信者による第１のキーワードの入力に応答して、第１のキーワードを情報受信者の嗜好情報を表す第２のキーワードとして、第２のキーワードを抽出した回数、第２のキーワードを抽出した日時、および配信希望と共に、嗜好情報テーブルに格納する嗜好解析部、並びに、キーワード辞書を用いて、受信した配信情報から第３のキーワードを抽出し、第３のキーワードが嗜好情報テーブルに格納されているかを判定し、格納されているならば、第３のキーワードに対応する第２のキーワードと共に、嗜好情報テーブルに配信希望が格納されているかを判定し、格納されている場合、配信情報を配信情報テーブルに格納するマッチング部を有する。
【発明の効果】
【０００６】
開示する配信情報受信端末によれば、情報受信者が不要な配信情報に接する必要がなくなる。
【図面の簡単な説明】
【０００７】
【図１】情報配信システムの概要図である。
【図２】配信情報受信端末の構成例である。
【図３】嗜好解析部の処理フローチャートである。
【図４】嗜好情報テーブルの更新例である。
【図５】マッチング部の処理フローチャートである。
【図６】配信情報を配信情報テーブルに格納する一例である。
【図７】配信情報の表示出力例である。
【発明を実施するための形態】
【０００８】
図１は、情報配信システムの概要図である。情報配信システムは、配信される情報を受信する情報受信者端末（以下、配信情報受信端末）１０、情報を配信する情報配信端末３０、情報配信端末３０が配信する情報を更新する情報配信者端末４０を有する。配信情報受信端末は１０、IEEE 802.11、Bluetooth(登録商標)やZigBee等による近距離無線通信５０を利用して、情報配信端末３０からの配信情報を受信する。情報配信者端末４０は、近距離無線通信５０または、WiMAX若しくはLTE等の無線アクセス６０を用いて、情報配信端末３０が配信する情報を更新する。
【０００９】
図２は、配信情報受信端末１０の構成例である。受信端末１０は、演算部１１、揮発性メモリによるワークエリア１４、記憶部１５、入力部２０、無線通信部２１、および、出力部２２を有する。演算部１１は、嗜好解析部１２およびマッチング部１３の処理を実行する。記憶部１５は、嗜好情報テーブル１６、配信希望条件１７、および配信情報テーブル１８を有する。入力部２０および出力部２２は、配信情報受信端末１０の情報受信者とのユーザインターフェイスである。無線通信部２１は、情報配信端末３０との間で情報を送受信する。
【００１０】
図３は、嗜好解析部１２の処理フローチャートである。嗜好解析部１２は、情報受信者による配信を希望するキーワードの入力部２０からの入力、または、情報受信者による文章の入力部２０からの入力もしくは情報受信者によるWEBページへのアクセスに応答して、処理を開始し、嗜好情報テーブル１６を更新する。
【００１１】
図４は、嗜好情報テーブル１６の更新例である。図４の（Ａ）は、嗜好情報テーブル１６である。嗜好情報テーブル１６は、キーワード１６０、ＨＩＴ回数（キーワードを抽出した回数）１６１、ＨＩＴ日時（キーワードを抽出した最新日時）１６２、及び配信希望１６３を含む。図４の（Ｂ）は、ワークエリア１４に格納されたＷｅｂページの例である。図４の（Ｃ）は、Ｗｅｂページの内容に基づいて、更新された嗜好情報テーブル１６である。嗜好情報テーブル１６の更新については、嗜好解析部１２の処理として説明する。
【００１２】
嗜好解析部１２は、情報受信者による配信希望情報であるキーワードの入力かを判定し（Ｓ１２０）、キーワードの入力でないならば、Ｓ１２４へ移る。嗜好解析部１２は、入力したキーワードが嗜好情報テーブル１６に格納されているかを判定し（Ｓ１２１）、格納されているならば、処理を終了する。キーワードが嗜好情報テーブル１６に格納されているかの判定は、嗜好情報テーブル１６のキーワード１６０に一致するものがあるかの判定である。入力したキーワードが嗜好情報テーブル１６に格納されていないならば、嗜好解析部１２は、嗜好情報テーブル１６に新たな行を確保し、確保した行の配信希望１６３に「希望」を格納する（Ｓ１２２）。
【００１３】
嗜好解析部１２は、入力したキーワードを、確保した行のキーワード１６０に格納し、ＨＩＴ回数１６１に「１」を格納し、ＨＩＴ日時１６２に現在日時を格納し（Ｓ１２３）、処理を終了する。現在日時は、配信情報受信端末１０が有するタイマ（図示略）から読み取った日時である。したがって、ＨＩＴ日時１６２は、キーワードを入力した最新の日時である。
【００１４】
キーワードの入力でないならば、嗜好解析部１２は、情報受信者による文章の入力部２０からの入力または情報受信者によるWEBページへのアクセスかを判定し（Ｓ１２４）、いずれでもないならば、処理を終了する。
【００１５】
嗜好解析部１２は、情報受信者が入力部２０から入力した文章、または、情報受信者によるWEBページへのアクセス内容（アクセスのためのキーワードなど）及びアクセス結果としてのWEBページの内容から、嗜好情報を表すキーワードを抽出する（Ｓ１２５）。嗜好情報を表すキーワード辞書（図示略）を配信情報受信端末１０が有し、入力した文章、または、アクセス内容及びWEBページの内容に含まれる文字列がキーワード辞書に格納されているならば、その文字列をキーワードとして抽出する。
【００１６】
図４の（Ｂ）のWEBページの例から、「登山」、「服」、および「新製品」をキーワードとして抽出したとする。
【００１７】
嗜好解析部１２は、抽出したキーワードが嗜好情報テーブル１６に格納されているかを判定し（Ｓ１２６）、格納されていないならば、Ｓ１２３へ移る。「新製品」が嗜好情報テーブル１６に格納されていないので、嗜好解析部１２は、嗜好情報テーブル１６に新たな行を確保し、確保した行のキーワード１６０に「新製品」を格納し、ＨＩＴ回数１６１に「１」を格納し、ＨＩＴ日時１６２に現在日時を格納する（Ｓ１２３）。
【００１８】
「登山」および「服」は、嗜好情報テーブル１６のキーワード１６０に格納されているので、それらの行のＨＩＴ回数１６１をカウントアップし、ＨＩＴ日時１６２に現在日時を格納し（Ｓ１２７）、処理を終了する。
【００１９】
なお、図３の嗜好解析部１２の処理フローチャートは、キーワード入力およびWEBページアクセスなどのそれぞれにおいて、一つのキーワードを対象として示しているが、キーワードが複数の場合、例示したように、Ｓ１２２またはＳ１２６から処理を繰り返す。以上の嗜好解析部１２の処理により、図４の（Ａ）の嗜好情報テーブル１６は、図４の（Ｃ）のように更新される。
【００２０】
図５は、マッチング部１３の処理フローチャートである。マッチング部１３は、情報配信端末３０からの配信情報の受信に応答して、処理を開始する。受信した配信情報は、ワークエリア１４に格納され、マッチング部１３の処理の終了または配信情報受信端末１０の電源ＯＦＦに応じて、ワークエリア１４から削除される。
【００２１】
マッチング部１３は、配信情報からキーワードを抽出する（Ｓ１３０）。キーワードの抽出は、嗜好情報を表すキーワード辞書を用いたＳ１２５の処理と同様である。マッチング部１３は、抽出したキーワードが嗜好情報テーブル１６に格納されているかを判定し（Ｓ１３１）、格納されていないならば、処理を終了する。
【００２２】
抽出したキーワードが嗜好情報テーブル１６に格納されているならば、マッチング部１３は、抽出したキーワードに対応するキーワード１６０の、嗜好情報テーブル１６の行の配信希望１６３に「希望」が格納されているかを判定し（Ｓ１３２）、格納されているならば、Ｓ１３４へ移る。
【００２３】
「希望」が格納されていないならば、マッチング部１３は、抽出したキーワードが配信希望条件１７を満たすかを判定し（Ｓ１３３）、満たさないならば、処理を終了する。
【００２４】
抽出したキーワードの配信情報が「希望」に相当する場合、または抽出したキーワードが配信希望条件１７を満たす場合、マッチング部１３は、ワークエリア１４に格納されている配信情報を配信情報テーブル１８に格納する（Ｓ１３４）。
【００２５】
図６は、マッチング部１３が配信情報を配信情報テーブル１８に格納する一例である。図６の（Ａ）は、ワークエリア１４に格納された配信情報１４００、１４１０、及び１４２０である。配信情報１４００、１４１０、及び１４２０の各々は、配信日時１４０１、配信情報の内容１４０２、情報発信者の位置情報（配信情報を配信した情報配信者端末４０の位置情報）１４０３、及び配信情報の発信者情報１４０４を含む。
【００２６】
図６の（Ｂ）は、配信希望条件１７である。配信希望条件１７は、あるキーワードが20回以上発生し、その最新の発生日時が2015/01/01以降であるキーワードを含む配信情報であることを配信希望条件としている。この配信希望条件は、情報受信者により入力部２０を介して、必要に応じて書き換えられる。
【００２７】
図６の（Ｃ）は、配信情報テーブル１８であり、図６の（Ｃ）の上図に配信情報が追加格納され、下図の格納状態になったことを表している。配信情報テーブル１８は、配信日時１８０、配信情報の内容１８１、情報発信者の位置情報１８２、及び配信情報の発信者情報１８３を含む。
【００２８】
図６の（Ｃ）は、2015/02/01  13:00に配信された配信情報が、キーワード「新製品」に基づいて、配信情報テーブル１８に格納されている状態（上図）において、キーワード「飛行機」に基づいて、配信情報テーブル１８に配信情報１４１０が配信情報１８４として追加格納された状態（下図）である。キーワード「飛行機」は、嗜好情報テーブル１６のキーワード１６０にあり、そのＨＩＴ回数１６１は「21」、ＨＩＴ日時１６２は「2015/01/30  10:23」であり、配信希望条件１７を満たしているので、キーワード「飛行機」を含む配信情報１４１０が配信情報テーブル１８に、マッチング部１３により追加格納された。
【００２９】
図７は、配信情報テーブル１８に格納された配信情報の出力部２２による表示出力例である。図７の（Ａ）は、配信情報テーブル１８の配信日時１４０１、配信情報の内容１４０２、及び配信情報の発信者情報１４０４を基に、出力部２２に表示出力した例である。図７の（Ｂ）は、配信情報テーブル１８の情報発信者の位置情報１４０３に基づいて地図を表示し、表示した地図上に配信日時１４０１、配信情報の内容１４０２、及び配信情報の発信者情報１４０４を基に、出力部２２に表示出力した例である。
【００３０】
図７の（Ｃ）は、情報受信者が、配信情報の表示画面上での情報発信者の選択入力２２０に応答して、配信情報受信端末１０は、配信情報者のお気に入りへの追加、または未訪問の店としてブックマークする。配信情報者のお気に入りへの追加や、未訪問の店としてブックマークした場合は、アイコン２２１のように、配信情報受信端末１０は、その旨が分かるよう画面上に追加表示する。
【００３１】
以上説明した実施形態の配信情報受信端末によれば、情報受信者が不要な配信情報に接する必要がなくなる。
【符号の説明】
【００３２】
１０：配信情報受信端末、１１：演算部、１２：嗜好解析部、１３：マッチング部：１４：ワークエリア、１５：記憶部、１６：嗜好情報テーブル、１７：配信希望条件、１８：配信情報テーブル、２０：入力部、２１：無線通信部、２２：出力部、３０：情報配信端末、４０：情報配信者端末４０。
【図１】
2017004440.tif 000003
【図２】
2017004440.tif 000004
【図３】
2017004440.tif 000005
【図４】
2017004440.tif 000006
【図５】
2017004440.tif 000007
【図６】
2017004440.tif 000008
【図７】
2017004440.tif 000009